【手続補正書】
【提出日】令和2年5月6日(2020.5.6)
【手続補正１】
【補正対象書類名】明細書
【補正対象項目名】全文
【補正方法】変更
【補正の内容】
【発明の詳細な説明】
【発明の名称】頭部固定器
【技術分野】
【０００１】本発明は、「頭部に装着したら両手が自由になり機能的で便利になるのに」といった重さ数百グラム程度までの物を取付けて使用する物です。
または、用途に応じた物を頭部固定器自体に組込んで使用する物です。【０００２】数百グラム程度までの物でしたら、跳んだり走ったりしても外れませんしバランス良く配置すれば装着感が良くなり様々なシーンで様々な用途に応じて使用出来る物です。【０００３】帽子やヘルメットの様に被ったり、紐やベルトで頭や顎を締めりせずに、側頭部を挟むだけで簡単に装着出来る物です。【０００４】頭部固定器は左右の耳付近の窪みを挟んで、アームは後頭部下部の盆の窪付近を通るラインに納まりますので、目立たずファッション的にも恥ずかしくない未来的なデザインで、様々な場所で違和感を持たれる事無く使用出来る物です。
【背景技術】
【０００５】頭部に装着し通信する物として、イヤホンやスマートグラスやヘルメットがある。【０００６】頭部に装着し日除けする物として、帽子やサンバイザーやヘルメットがある。【０００７】頭部に装着し撮影する物として、カメラを取付けた眼鏡やサングラスやスマートグラスやゴーグルやヘルメットがある。【０００８】頭部に装着し音を聴く物として、ヘッドホンやイヤホンやスマートグラスやゴーグルやヘルメットがある。【０００９】頭部に装着し映像を見れる物として、ＶＲゴーグルやＡＲゴーグルやＭＲゴーグルやＳＲゴーグルやスマートグラスがある。【００１０】頭部に装着し有害物質を吸い込むのを防ぐ物として、医療用マスクや防塵マスクや防毒マスクがある。【００１１】頭部に装着し頭を保護する物として、ヘルメットがある。【００１２】頭部に装着し暑さを凌ぐ物として、扇風機を取付けた帽子やヘルメットがある。
【発明の概要】
【発明が解決しようとする課題】
【００１３】眼鏡に物を取付けた場合、軽い物でも固定が弱いため動作により慣性力が働くとずれたり外れたりする。
スマートグラスは動きに弱く、重さに弱く、視界が曇ったり、顔に痕が付いたりする。
眼鏡が似合わなかったり、ビジュアル的に眼鏡の印象を嫌ってる人もいる。【００１４】帽子に物を取付けた場合、数百グラムの物だと動作により慣性力が働きズレる。【００１５】ヘッドバンドに物を取付けた場合、数百グラムの物だと動作により慣性力が働きズレる。ＶＲ・ＡＲ・ＭＲ・ＡＲゴーグルは頭を一回りさせるベルトと、ゴーグル上部から頭頂部を経由し、後頭部にある頭を一回りしているベルトに繋がるベルトにより固定してるので見た目が不恰好で髪が押し潰され窮屈感や圧迫感が生じる。【００１６】ヘルメットに物を取付けた場合、ヘルメットだけ被るときより重量が増した分強く確りと顎紐を締めて固定する必要がある為、窮屈感や圧迫感が生じる。髪が押し潰されるしそもそもヘルメットを被っても違和感のない場所は限定されるので日常普通に使うと恥ずかしい。【００１７】マスクには左右の耳に掛けて装着するタイプと、頭にベルトや紐を回して装着するタイプがある。前者は重さに弱く、後者は見た目が不恰好で髪が押し潰され窮屈感や圧迫感が生じる。【００１８】ヘッドホンは動きに弱くイヤホンは耳の穴に装着するので圧迫感があり不衛生です。
【課題を解決するための手段】
【００１９】上記課題を解決するため、左右の側頭部を挟んで装着固定する物を考案した。
この頭部固定器に、使用者の用途に応じて小型カメラや通信機や日除けや小型扇風機や録音再生機やラジオやマスクなどを取付けて使う。
または、用途に応じた物を頭部固定器に組込んだ物を装着して使う。
ヘルメットなど頭部固定器に取付ける物の重さが数百グラムを超える場合、側頭部を挟むだけではなく左右の側頭部を繋ぐ前方アームを増設して、固定を強化する。
【発明の効果】
【００２０】手で持って使用していた物を頭部に装着して使用することで、両手が自由になり日常の行動から動きのあるスポーツまでそれを使用しながら行動出来る範囲が広がる。【００２１】被ったり紐やベルトで頭を締めないから、髪が押し潰されず窮屈感や圧迫感が減少し、頭部固定器自体も小さく耳付近から後頭部に納まるデザインで、目立たずスマートです。【００２２】頭部固定器に小型カメラを取付けて使用すると、撮影に集中しなくても撮れるので撮影者も皆とパーティーや様々なイベントに参加して一緒に動き回って楽しむことが出来ます。動画投稿サイトへの作品作成、特に動きまわっての撮影にもってこいです。
登山や釣りなどの趣味やスポーツイベントや旅行や子供の学校行事など、長時間使用する為にバッテリー容量が多少増えて重さが増しても対応出来る。【００２３】頭部固定器に音を聴く物を取付けて使用すると、ヘッドホンと違い動いてもズレたり外れたりせず、イヤホンの様に耳の穴に装着しないので圧迫感がなく衛生的です。【００２４】頭部固定器にＶＲ・ＡＲ・ＭＲ・ＳＲゴーグルを取付けると、頭の回りや頭頂部をベルトで締めないので、髪が押し潰されず窮屈感や圧迫感が減少し、頭部固定器自体も小さく耳付近から後頭部に納まるデザインですので、目立たずスマートです。
頭部固定器の後頭部側にバッテリーなどを配置しバランス良くすることで、より良い装着感に出来る。【００２５】頭部固定器に眼鏡やサングラスやスマートグラスを取付けると、鼻に載せないタイプに出来るので鼻に痕がつかない。右目用レンズを右耳側に左目用レンズを左耳側にスライド移動して収納した物を、使用時にはスライドさせて簡単に出せるので、必要な時だけその都度出して使えば、眼鏡が似合わない人でも眼鏡の印象を持たれにくくなる。
眼鏡を鞄から出して掛けるという動作が必要なくなる。【００２６】頭部固定器に小型カメラや通信機を取付けて使用すると、相手の視界を共有出来るのでお遣いでは並んでいる商品を見て選べるし、交通機関の乗り継ぎや道の誘導も簡単です。
アドバイスを求める時も状況を把握させ易いから便利です。
テニスや卓球や野球やゴルフなど動きのあるスポーツで使用すれば、選手の動きを殆んど妨げることなく選手の目線を共有出来るので、興味深い映像が期待できる。
スマートグラスとの違いは、眼鏡ではないのである程度重くなっても動いて慣性力が働いても、ズレたり外れたりしない点です。【００２７】用途に応じた物を頭部固定器に取付けて使うのではなく、はじめから用途に応じた物を頭部固定器に組込んで製造すれば重量バランスやデザイン性を良くすることが出来るし、機器のカバーの共有や取付ける為の部品が必要なくなるので軽量化出来る。
【図面の簡単な説明】
【００２８】
【図１】頭部固定器の図（数百グラム程度までの物を取付ける場合）
【図２】頭部に頭部固定器を装着した図（数百グラムを超える物を取付ける場合）
【発明を実施するための形態】
【００２９】以下、本発明の実施の形態を図面に基づいて説明する。
【００３０】用途に応じた物を頭部固定器に取付ける。左手で図１の１と３を右手で図１の２と４を持ち、左側頭部の窪み部に１を左耳の裏側下部窪みに３を右側頭部の窪み部に２を右耳の裏側下部窪みに４を嵌めると図２の様に装着出来る。
図２の８と右耳側にある９は固定が弱い場合必要。
図２の１０は数百グラムを越える重量物や風圧受ける物を固定する場合や前方に配置しスマートフォンやフェイスガードやレンズなどを取付けるのに使用する。
装着した後に用途に応じた物を取付けてもよい。用途に応じた物を組込んだ頭部固定器でも同じ要領で装着する。装着したら、その用途に応じて使用する。
【実施例】
【００３１】頭部固定器に小型カメラや通信機を取付けて使用すると、相手の視界を共有出来るのでお遣いでは並んでいる商品を見て選べるし、交通機関の乗り継ぎや道の誘導も簡単です。
アドバイスを求める時も状況を把握させ易いから便利です。
テニスや卓球や野球やゴルフなど動きのあるスポーツで使用すれば、プレーを殆んど妨げることなく選手の目線を共有出来るので、興味深い映像が期待できる。
ゴルフではインパクトからの球筋や自分や同組者のナイスショットや失敗ショットが撮れる。また、ラウンド中に電話が掛かってきても通話相手と話しながらプレー出来るから、電話を終えるまで同組者達を待たせなくて済む。
【産業上の利用可能性】
【００３２】地図アプリを搭載すると街中などで便利ですし、頭部装着タイプのゴルフナビや登山ナビにも利用出来ます。【００３３】顔認証機能のカメラを取付けて現場の警察官が装着することで、犯人や失踪者や迷子等登録した人が映れば、警察官が気付かなくても機器が認識するので逃しにくい。
他の業務でも証拠が撮れるので便利です。【００３４】医者が診察するときに、手軽に患者の様子や会話や患部を撮影出来るので記録に良い。
前回診察時の患部との比較が出来るし、遠方の医者からのアドバイスも得易い。【００３５】スマートフォンを顔の前に固定するとスマートフォンを手で持つことなく、動画や写真や文字や撮影している画像や通話相手も見れる。頭部に固定した時用のスマートフォン用コードレスマウスがあればスマートフォンの様々な機能を一々手でスマートフォンを触らずに操作出来て便利です。【００３６】頭部固定器にＶＲゴーグル・ＡＲゴーグル・ＭＲゴーグル・ＡＲゴーグルを取付けて、後頭部を経由して左右の側頭部に至る馬蹄形の枕も頭部固定器に取付けると、仰向け寝や横向き寝に対応し、就寝時には寝入り易い環境の映像を映し音楽を流し起床時には気持ち良く起床出来る環境やシチュエーションの映像を映し音楽を流したり、または振動や枕の収縮や膨張など起床の仕方を選択出来たら良い。
馬蹄形の枕は置いて使用する枕より体積が小さいので持ち運びし易いのも利点です。【００３７】暑さ対策のため小型扇風機を取付けると自由な両手で様々な活動が出来る。
屋外や屋内での作業、アウトドアスポーツやインドアスポーツ、スポーツ観戦や旅行、コンサートや様々なイベントなどなど多岐の使用が考えられる。
頭部接触部分をペルチェ素子等の冷やせる物に出来れば更に良い。【００３８】帽子でも日傘でもない、その間的な存在の日除けや頭用傘が考えられる。
頭部固定器に取付けた骨組みと頭の間に空間をつくり、その骨組みに生地を張り日差しや雨から頭部を守る。【００３９】マスクの両サイドにパイプを繋ぎ、パイプの先にフィルターをパイプの内側に小型送風機を仕込む。フィルターにより有害物質を除去した空気を小型送風機で取り込むとマスク内が正圧になり取り込んだ空気がマスクの縁から漏れる。よって体内に吸い込む空気は１００％フィルターで濾された空気になる。
ここでいうマスクは口を覆う物で空気を通さない材質の物です。また、パイプのフィルター側を襟からインナーウェアの内側に入れると更に効果が期待できる。【００４０】頭部装着タイプのネブライザーが出来る。【００４１】頭部固定器に取付けたヘルメットが考えられる。
頭部に接触しているのはヘルメットではなく頭部固定器なので、装着したときに頭とヘルメットの間に空間をつくれるから、髪が押し潰されず風通しを良く出来る。
頭部固定器に小型扇風機も取付けてその空間に送風出来る様にすると、暑い時期だと既存のヘルメットより格段に快適なヘルメットに出来る。【００４２】小型ドローンを頭部固定器から離発着出来る様にすれば撮影に便利です。【００４３】頭部固定器に取付けた機器の操作を手動だけではなく、歯の音や衝撃、目を閉じたり開いたり、またはそれらを組み合わせた動作により出来る様にすれば便利で使い易くなる。
【符号の説明】
【００４４】  １  左側頭部の窪み接触部  ：重量物を取付けて固定が弱い場合、ネジで調整する対策                            が考えられる。
軽量物を取付ける場合、窪みで挟まなくても耳に掛けるだ                            けで固定出来る。
２  右側頭部の窪み接触部  ：重量物を取付けて固定が弱い場合、ネジで調整する対策                            が考えられる。
軽量物を取付ける場合、窪みで挟まなくても耳に掛けるだ                            けで固定出来る。
３  左耳裏側下部窪み接触部：軽量物を取付ける場合必要ない。
４  右耳裏側下部窪み接触部：軽量物を取付ける場合必要ない。
５  アーム                ：重量物を取付ける場合、変形しにくい（外側に引っ張て                            も開きにくい）素材を使用。それでも固定が弱い場合、バ                            ネ等の弾性力の大きい物を仕込んで挟む対策が考えられる                            。
６  左側顎付根接触部      ：図１の３から伸びた部分。重量物を取付ける場合必要
７  右側顎付根接触部      ：図１の４から伸びた部分。重量物を取付ける場合必要
８  左耳前部バー          ：図１の１と６を繋いで固定を強化する物。
数百グラムの重量物を取付けて激しい動きの場合必要。
９  右耳前部バー          ：図１の２と７を繋いで固定を強化する物。
数百グラムの重量物を取付けて激しい動きの場合必要。
１０  前方アーム            ：数百グラムを超える重量物や風の抵抗を受けやすい物を                            取付ける場合必要。
額から離して前方に配置しスマートフォンやフェイスガー                            ドやレンズを取付ける場合必要。
【手続補正２】
【補正対象書類名】特許請求の範囲
【補正対象項目名】全文
【補正方法】変更
【補正の内容】
【特許請求の範囲】
【請求項１】
軽量物を取付けて使用する場合、頭部を挟まなくても耳に掛けて装着する。
少し重い物を取付けて使用する場合、頭部を挟まなくても耳に掛けて、耳裏下部の窪みに嵌めて装着する。
もう少し重い物を取付けて使用する場合、頭部を挟んで耳に掛けて、耳裏下部の窪みに嵌めて装着する。
重量物を取付けて使用する場合、頭部を挟む力を増す為にアームに弾性力の大きい材質を用いたり、アームに弾性力の大きい物を仕込んだり、左右の側頭部の窪み接触部をネジで調整出来る様にしたり、左右の顎付根接触部を設けたりして対策する。
数百グラムを超える場合、前方アームを増設して固定する。
用途によって取付けたり組込む物が変われば重さが変わる、同じ重さでも耳側か後頭部側か配置する位置でもバランスが変わる。また、じっとしてか日常の動きか激しい動きかの使用状況でも変わるし肌との接触部の摩擦力も変わるので、着け心地の為に検討が必要。
【請求項２】
重さや動きに強く、日常の動作からスポーツまで様々なシーンで使える。
ヘッドホン、ラジオ、録音再生機、眼鏡、サングラス、ゴーグル、スマートグラス、ナビゴルフナビ、日除け、頭用傘、ヘルメット、マスク、ネブライザー、小型扇風機、カメラ通信機、スマートフォン、小型ドローン、フェイスガード、レンズなどを用途に応じて取付けて、または組込んだ物を使う。
カメラと通信機を装着すると遠方の方とも状況共有出来てアドバイスを得易くなり、手軽に映像や音声が記録出来るので証拠や記録として残したがいい仕事や趣味やスポーツで使うと便利です。
顔認証機能のカメラを取付けて現場の警察官が装着すれば、登録された犯人や失踪者や迷子等が映ったとき、警察官が気付かなくても機器が認識するので逃しにくい。
【請求項３】
頭部に装着した機器の操作を手動だけではなく、歯の音や衝撃、目を閉じたり開いたり、またはそれらを組み合わせた動作により行える様にすること。
【手続補正３】
【補正対象書類名】図面
【補正対象項目名】全図
【補正方法】変更
【補正の内容】
【図１】
2020105681.tif 000001
【図２】
2020105681.tif 000002